(57)【要約】【課題】  ホッパー装置によるメダルの払い出しの際の不正行為を防止する。【解決手段】  排出経路４０の内部に回動自在な進入防止扉５０を設ける。排出経路４０の側壁面に開口４５を設け、この開口４５にソレノイド５５の駆動鉄芯５７を、その先端部が排出経路４０の内部に突出するように設ける。駆動鉄芯５７の先端部に扉検出センサ６０を設け、排出経路４０を閉鎖する基準位置となる進入防止扉５０に当接させる。メダルの払い出し時には、ソレノイド５５を作動させ、駆動鉄芯５７を排出経路４０から退避させる。そして、メダルの払い出しが終了した場合に、ソレノイド５５の作動を停止させ、駆動鉄芯５７を排出経路４０の内部に突出させる。この際、進入防止扉５０が基準位置にない場合には、扉検出センサ６０によって検出されないから、制御回路基板６５は、スロットマシンに組み込まれた装置の作動を停止して、警報音を再生する。【選択図】        図３
2005052562.tif 000002
【特許請求の範囲】
【請求項１】
遊技の際の付与価値を払い出す払出し装置と、
前記払出し装置から払い出された付与価値を受ける受け部と、
前記払出し装置と受け部との間に設けられた排出経路とを備えるとともに、
前記排出経路に設けられ、前記排出経路を閉鎖する基準位置から前記払出し装置によって払い出された付与価値に押圧されて回動し、前記排出経路を開口する扉と、
前記排出経路内に、且つ前記扉の下流側に突出して前記基準位置に位置する扉の回動を防止する第１位置と、前記排出経路から退避して前記扉の回動を許容する第２位置との間で移動するストッパと、
前記ストッパに設けられ、前記基準位置にある扉の下流側の面と当接して前記扉が基準位置に位置することを検知する扉検知手段とを設けたことを特徴とする遊技機。
【請求項２】
前記ストッパはソレノイドの駆動鉄芯であるとともに、前記ソレノイドは、前記払出し装置に同期して作動することを特徴とする請求項１記載の遊技機。
【発明の詳細な説明】
【技術分野】
【０００１】
本発明は、パチンコ店などの遊技場に設置して使用されるスロットマシン等の遊技機に関するものである。
【背景技術】
【０００２】
パチンコ店などの遊技場に設置して使用されるスロットマシンはパチスロ機と称されている。このようなパチスロ機の場合、遊技を行う際に所定枚数のメダルを投入することで遊技を行うことが可能となり、遊技を行って入賞を得た場合には、パチスロ機の内部に設けられたホッパー装置が駆動して、入賞に対する払出し枚数となるメダルが払出し口から受け皿に払い出されるようになっている。
【０００３】
しかしながら、ホッパー装置の排出口と、スロットマシンの払出し口との間に設けられる排出経路には障害物がないため、メダルの払い出しが行われていない状態で針金を差し込んで、不正にメダルを払い出させるという行為が行われるという問題がある。
【０００４】
図９に示すように、このような不正にメダルを払い出させるという行為を防止する方法として、排出経路９０の内部に回動自在な進入防止板９１を設け、排出経路９０の上面側に進入防止板９１の回動軸９２が位置するように配置する。これによって、進入防止板９１の他端側が自重によって排出経路９０の下面に当接し、結果的に排出経路９０が閉鎖される。なお、図１０に示すように、払い出されるメダル９３は、ホッパー装置から排出された後に進入防止板９１に衝突し、この衝突によって回動する進入防止板９１と排出経路９０の下面９０ａとの隙間を、払い出されたメダル９３が通過するようになっている。これにより、メダル９３の払い出しが行われていない場合には、針金等の異物をホッパー装置まで進入させることができなくなる。なお、符号９４は、ホッパー装置に設けられた排出部である。
【発明の開示】
【発明が解決しようとする課題】
【０００５】
しかしながら、上記形態の場合には、メダルの払い出しが行われていないときに、進入防止板が常に排出経路を閉鎖しているか否かを検出する手段がないため、メダルの払い出しの際に、進入防止板と排出経路との間に生じる隙間に針金を挿通させることができ、結果的に針金の先端をホッパー装置まで進入されてしまい、メダル払い出し時に上記不正行為が実行されてしまうという問題がある。
【０００６】
本発明は、ホッパー装置によるメダルの払い出しの際に不正行為を防止することができるようにした遊技機を提供することを目的とする。
【課題を解決するための手段】
【０００７】
本発明の遊技機は、遊技の際の付与価値を払い出す払出し装置と、前記払出し装置から払い出された付与価値を受ける受け部と、前記払出し装置と受け部との間に設けられた排出経路とを備えるとともに、前記排出経路に設けられ、前記排出経路を閉鎖する基準位置から前記払出し装置によって払い出された付与価値に押圧されて回動し、前記排出経路を開口する扉と、前記排出経路内に、且つ前記扉の下流側に突出して前記基準位置に位置する扉の回動を防止する第１位置と、前記排出経路から退避して前記扉の回動を許容する第２位置との間で移動するストッパと、前記ストッパに設けられ、前記基準位置にある扉の下流側の面と当接して前記扉が基準位置に位置することを検知する扉検知手段とを設けたことを特徴とするものである。
【０００８】
また、前記ストッパはソレノイドの駆動鉄芯であり、前記払出し装置の作動に同期して、前記ソレノイドを作動させることが好ましい。
【発明の効果】
【０００９】
本発明の遊技機は、遊技の際の付与価値を払い出す払出し装置と、前記払出し装置から払い出された付与価値を受ける受け部と、前記払出し装置と受け部との間に設けられた排出経路とを備えるとともに、前記排出経路に設けられ、前記排出経路を閉鎖する基準位置から前記払出し装置によって払い出された付与価値に押圧されて回動し、前記排出経路を開口する扉と、前記排出経路内に、且つ前記扉の下流側に突出して前記基準位置に位置する扉の回動を防止する第１位置と、前記排出経路から退避して前記扉の回動を許容する第２位置との間で移動するストッパと、前記ストッパに設けられ、前記基準位置にある扉の下流側の面と当接して前記扉が基準位置に位置することを検知する扉検知手段とを設けたから、遊技媒体の払い出しを行わない場合に排出経路を閉鎖するので、スロットマシンの払出し口から針金等の異物を差し込んで、遊技媒体の払い出しの際に行われる不正行為を防止するという利点がある。
【００１０】
また、前記ストッパはソレノイドの駆動鉄芯であり、前記払出し装置の作動に同期して、前記ソレノイドを作動させるから、払出し装置が作動していないときは、前記扉は基準位置に位置することで、また、遊技媒体の払い出しの際に異物を挿入し、次回の払い出しの際に上記不正行為を行おうとしても、排出経路を閉鎖する扉が基準位置にないことを検出できるので、確実に不正行為を未然に防止することができる。
【発明を実施するための最良の形態】
【００１１】
図１に示すように、スロットマシン２は、筐体３の前面に設けられた２枚の前面扉（以下、上部前面扉４及び下部前面扉５とする）を有している。これら前面扉のうち上部前面扉４には表示窓６が設けられ、この表示窓６の奥に第１リール７ａ，第２リール７ｂ，第３リール７ｃが配置される。周知のように、第１〜第３リール７ａ〜７ｃの外周には様々な図柄が一定ピッチで配列され、リールが停止した状態では対応する表示窓６を通して１リール当たり３個の図柄が観察される。これにより、各リールの図柄を１個ずつ組み合わせた直線状の入賞ラインが横３本斜め２本の合計５本設定されている。この第１〜第３リール７ａ〜７ｃの側方には液晶表示装置８が設けられ、例えばアニメーション表示を利用した演出を行う。なお、表示窓６の個数は１つに限定する必要はなく、例えば各々のリール毎に表示窓を設けるようにしてもよい。
【００１２】
下部前面扉５の上部には、遊技の開始時に操作される１枚ベットボタン１０、ＭＡＸベットボタン１１、ペイアウトボタン１２などの各種の操作ボタンが設けられる。なお、これらの操作ボタンの機能はいずれも周知であるので、その詳細については省略する。また、これら操作ボタンの下部には、メダルベットが行われた後に操作されるスタートレバー１５や、スタートレバー１５の操作により回転するリールを停止させる第１〜第３ストップボタン１６〜１８等が設けられる。
【００１３】
また、下部前面扉５には、遊技を行う際にメダル３０（図２参照）を投入するためのメダル投入口２０が設けられている。メダル投入口２０の奥にはセレクタ２１が組み込まれ、不適正なメダル３０はメダル払出口２２を介してメダル受け皿２３に排出される。また、セレクタ２１は、例えば遊技の途中や各種の操作ボタンが押されたままの状態で投入された等の不適切なタイミングでメダル３０の投入が行われたときに、投入されたメダル３０をメダル受け皿２３に排出する。なお、遊技の開始に先立って投入するメダル３０の枚数は１〜３枚に限られているため、クレジット機能を用いていないときには４枚目以降に投入されたメダル３０はメダル受け皿２３に排出される。
【００１４】
一方、クレジット機能がオン状態のときには４枚目以降に投入されたメダル３０は、図示しないメダルセンサで検知され、５０枚を限度にスロットマシン２の内部に貯留される。なお、貯留されたメダル３０の枚数は、クレジット枚数表示器２５でデジタル表示される。このクレジット機能を用いているときには、前述した１枚ベットボタン１０やＭＡＸベットボタン１１の操作によりメダル３０の投入操作が行われ、そのベット枚数がクレジット枚数から逐次に減算される。また、遊技の結果、入賞が得られたときには配当となるメダル３０もクレジットされ、ペイアウトボタン１２を操作したときにクレジットされているメダル３０がメダル受け皿２３に払い出される。
【００１５】
図２に示すように、筐体３の下部には、ホッパー装置３１及びオーバーフロー用の貯留箱３２が設けられる。ホッパー装置３１は、このスロットマシン２で遊技を行って入賞を得た場合に作動し、入賞に対するメダル３０をメダル受け皿２３に払い出す。このホッパー装置３１の上部には、払出し用のメダル３０を貯留する貯留タンク３３が設けられている。なお、この貯留タンク３３には、メダル投入口２０から投入されたメダル３０が貯留される。なお、符号３４は、排出口であり、前面扉を閉じると、後述する排出経路４０の一端に設けられた開口に挿通される。オーバーフロー用の貯留箱３２は、ホッパー装置３１の貯留タンク３３に貯留されたメダル３０が所定量を超えたときに、貯留タンク３３から排出されたメダル３０を貯留する。
【００１６】
ホッパー装置３１の排出口３４の前面には、略Ｌ字状の排出経路４０が設けられている。図３に示すように、この排出経路４０の一端に、ホッパー装置３１の排出口３４に連通する開口４０ａが、その他端に、メダル払出口２２がぞれぞれ設けられている。この排出経路４０は第１斜面４１と、第２斜面４２とを備えており、この第１斜面４１と第２斜面４２との間に段差４３が設けられる。また、第１斜面４１に連なる側壁面４４には開口４５が設けられており、この開口４５から排出経路４０の内部に、ソレノイド５５の駆動鉄芯５７が挿通される。なお、排出経路４０の構成は、これに限定する必要はなく、直線状の排出経路としてもよい。
【００１７】
排出経路４０の上流側には、排出経路４０を閉鎖する進入防止扉５０が設けられる。この進入防止扉５０は、扉自体の自重によって排出経路４０を閉鎖する基準位置に位置している。この進入防止扉５０の回動軸６８となる端部近傍には、進入防止進入防止扉５０の回動を防止する回動防止片５１が設けられている。回動防止片５１は、例えば、衝撃を吸収する材質から形成され、基準位置に向けて回動する進入防止扉５０が当接したときに、その衝撃を吸収し、進入防止扉５０を基準位置で停止させる。なお、この進入防止扉５０は、メダル３０の払い出し処理が行われないときには、ソレノイド５５によって回動しないようになっている。
【００１８】
ソレノイド５５は、ボビン５６と駆動鉄芯５７とから構成される。なお、詳細は記載しないが、ソレノイド５５は通電が行われると、ボビン５６に巻かれたコイル（図示せず）によって磁界が発生し、駆動鉄芯５７をボビン５６の内部に引き込む。そして、ソレノイド５５への通電が停止すると、図示しないバネの復帰力により、ボビン５６に引き込まれた駆動鉄芯５７がボビン５６の内部から引き出される。なお、ソレノイド５５に通電が行われていないときには、駆動鉄芯５７の先端部が排出経路４０を形成する側壁面４４に設けられた開口４５に挿通され、駆動鉄芯５７の先端部が排出経路４０の内部に突出する。なお、排出経路４０の内部に突出する駆動鉄芯５７によって、扉が基準位置に保持される。
【００１９】
図４に示すように、ソレノイド５５に通電が行われると、駆動鉄芯５７がボビン５６の内部に引き込まれるので、駆動鉄芯５７の先端部が排出経路４０の内部から退避する。そして、進入防止扉５０の回動が許容される。なお、このソレノイド５５への通電は、ホッパー装置３１によるメダル３０の払い出しに同期して行われ、ホッパー装置３１によるメダル３０の払い出しが停止すると、ソレノイド５５への通電が停止する。
【００２０】
扉検出センサ６０は、例えば接触センサが用いられ、ソレノイド５５の駆動鉄芯５７の先端部に設けられる。扉検出センサ６０は、通電が停止することによってソレノイド５５の駆動鉄芯５７が排出経路４０の内部に突出したときに、基準位置にある進入防止扉５０と接触し、その検知信号を制御回路基板６５に出力する。なお、ホッパー装置３１の駆動を停止した後に、ソレノイド５５への通電を停止した場合に、扉検出センサ６０からの検知信号が出力されない場合は、制御回路基板６５は、スロットマシン２を構成する装置の作動を禁止して、例えば、スピーカ６７等による警告音の再生や、液晶表示装置８による警告表示を行う。
【００２１】
次に、このようなスロットマシン２の作用について、図５のフローチャートを基に説明する。メダル投入を行って、スタートレバー１５を操作すると、遊技が開始され、第１〜第３リール７ａ〜７ｃが回転する。そして、遊技者が第１〜第３ストップボタン１６〜１８を操作すると、第１〜第３リール７ａ〜７ｃのうち、操作されたストップボタンに対応するリールが停止する。そして、第１〜第３リール７ａ〜７ｃが停止し、予め設定された入賞ライン上に同一の図柄が揃ったときや、所定の位置に特定の図柄が停止されたときに入賞となる。
【００２２】
遊技の結果、入賞となる場合、制御回路基板６５はソレノイド５５に通電を行って、ソレノイド５５を作動させる。ソレノイド５５が作動すると、駆動鉄芯５７がボビン５６の内部に引き込まれ、駆動鉄芯５７の先端部が排出経路４０の内部から退避する。制御回路基板６５は、ソレノイド５５を作動させた後に、ホッパー装置３１作動させ、メダル３０の払い出しを開始する。
【００２３】
図６及び図７に示すように、ホッパー装置３１から払い出されたメダル３０は、ホッパー装置３１の排出口３４から排出経路４０の一端に設けられた開口４０ａから排出経路４０の内部（図６矢印Ａ方向）に移動する。排出経路４０の内部に移動したメダル３０は基準位置にある進入防止扉５０に衝突し、回動軸６８を中心にして進入防止扉５０が図６中矢印Ｂ方向に回動する。即ち、進入防止扉５０がメダル３０に押圧されて回動する。なお、メダル３０は、ホッパー装置３１によって弾き出されるので、排出経路４０の内部に移動したメダル３０が進入防止扉５０に当たることで、弾き出されたメダル３０の勢いを緩和させることができる。その後、進入防止扉５０に衝突したメダル３０は、回動する進入防止扉５０と第１斜面４１との間に生じた隙間を通過する。そして、段差４３まで到達したメダル３０は、第２斜面４２上に落下して、メダル払出口２２からメダル受け皿２３へと払い出される。
【００２４】
図６中Ｂ方向に回動した進入防止扉５０は、扉５０の自重によって図７中Ｃ方向に回動するが、ホッパー装置３１から払い出されるメダル３０が再度衝突し、図６中Ｂ方向に回動する。そして、進入防止扉５０と第１斜面４１とにできる隙間を通過して次々に払い出される。そして、所定枚数のメダル３０が払い出されると、制御回路基板６５はホッパー装置３１の作動を停止させる。
【００２５】
同時に、制御回路基板６５は、ソレノイド５５の作動を停止させる。これを受けて、ソレノイド５５の駆動鉄芯５７がバネの付勢によりボビン５６から引き出され、その先端部を排出経路４０内に突出させる。なお、基準位置に向けて（図７中矢印Ｃ方向）回動した進入防止扉５０は、回動防止片５１によって回動を停止され、基準位置で停止するから、ソレノイド５５の駆動鉄芯５７の先端部が排出経路４０の内部に突出すると、先端部に設けられた扉検出センサ６０と、進入防止進入防止扉５０とが当接する。これによって、扉検出センサ６０から制御回路基板６５に検出信号が出力される。なお、遊技者のメダルベットによって、引き続き遊技が行われる。
【００２６】
一方、メダル３０の払い出しの間にメダル払出口２２から針金７０等の異物を挿入した場合、払い出し処理後に停止されるソレノイド５５の駆動鉄芯５７の先端部が排出経路４０の内部に突出するが、駆動鉄芯５７の先端部に設けられた扉検出センサ６０からの検出信号が制御回路基板６５に出力されないから、制御回路基板６５は異物があると判断し、スロットマシン２の作動を停止して、例えば警報音等をスピーカ６７から再生する。これにより、メダル払出口２２から針金等の異物を差し込んで、ホッパー装置を不正に操作してメダル３０を払い出させる行為を防止することができる。
【図面の簡単な説明】
【００２７】
【図１】スロットマシンの外観を示す斜視図である。
【図２】スロットマシンの下部の内部を示す斜視図である。
【図３】排出経路の構成を示す斜視図である。
【図４】メダル払い出し処理を行う直前の扉近傍を示す斜視図である。
【図５】遊技の処理の流れを示す斜視図である。
【図６】扉近傍を示す断面図である。
【図７】メダルが払い出された時の扉近傍を示す断面図である。
【図８】メダルの払い出し時に針金を進入させた場合の断面図である。
【図９】排出経路に回動自在な進入防止板を設けた場合の断面図である。
【図１０】メダルが払い出されるときの進入防止板の状態を示す断面図である。
【符号の説明】
【００２８】
２    スロットマシン
２２    メダル払出口
３０    メダル
３１    ホッパー装置
３４    排出口
４０    排出経路
５０    進入防止扉
５１    回動防止片
５５    ソレノイド
５７    駆動鉄芯
６０    扉検出センサ
６５    制御回路基板
【図１】
2005052562.tif 000003
【図２】
2005052562.tif 000004
【図３】
2005052562.tif 000005
【図４】
2005052562.tif 000006
【図５】
2005052562.tif 000007
【図６】
2005052562.tif 000008
【図７】
2005052562.tif 000009
【図８】
2005052562.tif 000010
【図９】
2005052562.tif 000011
【図１０】
2005052562.tif 000012